【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
インクを吐出する記録ヘッドを用いて記録媒体上に画像を記録するための画像処理を行う画像処理方法であって、
Ｎ（Ｎは３以上の整数）値の文字Ｎ値データと、Ｍ（Ｍは３以上の整数）値のイメージＭ値データと、を取得する取得工程と、
前記文字Ｎ値データに対して量子化処理を行うことによりインクの吐出もしくは非吐出を示すＬ（ＬはＬ＜Ｎを満たす２以上の整数）値の文字インクデータを生成し、前記イメージＭ値データに対して量子化処理を行うことによりインクの吐出もしくは非吐出を示すＫ（ＫはＫ＜Ｍを満たす２以上の整数）値のイメージインクデータを生成する生成工程と
を備え、
前記生成工程において、前記文字インクデータがインクの吐出を示す画素に対して、前記イメージインクデータがインクの非吐出を示すように、前記文字インクデータと前記イメージインクデータを生成することを特徴とする画像処理方法。
【請求項２】
前記文字Ｎ値画像データに対する量子化処理及び前記イメージＭ値データに対する量子化処理の少なくとも一方は誤差拡散処理であることを特徴とする請求項１に記載の画像処理方法。
【請求項３】
前記文字Ｎ値データ及び前記イメージＭ値データは異なる解像度を有し、前記文字インクデータ及び前記イメージインクデータは同じ解像度を有することを特徴とする請求項１または２に記載の画像処理方法。
【請求項４】
前記文字Ｎ値データは前記イメージＭ値データよりも高い解像度を有することを特徴とする請求項３に記載の画像処理方法。
【請求項５】
前記生成工程において、前記文字インクデータがインクの吐出を示す全ての画素に対して、前記イメージインクデータがインクの非吐出を示すように、前記文字インクデータと前記イメージインクデータを生成することを特徴とする請求項１から４のいずれか１項に記載の画像処理方法。
【請求項６】
前記文字インクデータに対応するインクは、ブラックインクであることを特徴とする請求項１から５のいずれか１項に記載の画像処理方法。
【請求項７】
前記イメージインクに対応するインクは、シアンインク、マゼンタインク、イエローインクを含むことを特徴とする請求項１から６のいずれか１項に記載の画像処理方法。
【請求項８】
前記記録ヘッドは複数のインクを吐出可能であり、前記文字インクデータに対応するインクとイメージインクデータに対応するインクとは異なることを特徴とする請求項１から７に記載の画像処理方法。
【請求項９】
前記文字インクデータに対応するインクは、前記イメージインクデータに対応するインクよりも浸透性が低いことを特徴とする請求項８に記載の画像処理方法。
【請求項１０】
前記文字インクデータがブラックインクの吐出を示すデータであり、前記イメージインクデータがブラックインク、シアンインク、マゼンタインク、イエローインクの吐出を示すデータである場合、前記生成工程において前記イメージインクデータのうちシアンインク、マゼンタインク、イエローインクの非吐出を示すデータとなるように生成することを特徴とする請求項１から９に記載の画像処理方法。
【請求項１１】
入力画像データに基づいて、前記文字Ｎ値データと前記イメージＭ値データを生成する工程をさらに備えることを特徴とする請求項１から１０のいずれか１項に記載の画像処理方法。
【請求項１２】
前記入力画像データは各画素の属性を示す属性データを含み、前記属性データが文字の属性を示す画素を抽出して前記文字Ｎ値データを生成することを特徴とする請求項１１に記載の画像処理方法。
【請求項１３】
前記入力画像データは各画素の色を示す色データを含み、前記属性データが文字属性を示し、且つ、前記色データが黒を示す画素を抽出して前記文字Ｎ値データを生成することを特徴とする請求項１１に記載の画像処理方法。
【請求項１４】
前記色データはＲＧＢ値を有し、前記色データが黒を示す画素は、前記ＲＧＢ値がＲ＝Ｇ＝Ｂ＝０の画素であることを特徴とする請求項１３に記載の画像処理方法。
【請求項１５】
前記Ｌと前記Ｋは同じ数であることを特徴とする請求項１から１４のいずれか１項に記載の画像処理方法。
【請求項１６】
前記Ｌと前記Ｋは２であることを特徴とする請求項１５に記載の画像処理方法。
【請求項１７】
前記文字インクデータ及びイメージインクデータに基づいて、前記記録ヘッドからインクを吐出することにより画像を記録する記録工程をさらに備えることを特徴とする請求項１から１６のいずれか１項に記載の画像処理方法。
【請求項１８】
インクを吐出する記録ヘッドを用いて記録媒体上に画像を記録するための画像処理を行う画像処理装置であって、
Ｎ（Ｎは３以上の整数）値の文字Ｎ値データと、Ｍ（Ｍは３以上の整数）値のイメージＭ値データと、を取得する取得手段と、
前記文字Ｎ値データに対して量子化処理を行うことによりインクの吐出もしくは非吐出を示すＬ（ＬはＬ＜Ｎを満たす２以上の整数）値の文字インクデータを生成し、前記イメージＭ値データに対して量子化処理を行うことによりインクの吐出もしくは非吐出を示すＫ（ＫはＫ＜Ｍを満たす２以上の整数）値のイメージインクデータを生成する生成手段と
を備え、
前記生成手段は、前記文字インクデータがインクの吐出を示す画素に対して、前記イメージインクデータがインクの非吐出を示すように、前記文字インクデータとイメージインクデータを生成することを特徴とする画像処理装置。
【請求項１９】
Ｎ（Ｎは３以上の整数）値の文字Ｎ値データと、Ｍ（Ｍは３以上の整数）値のイメージＭ値データと、を取得する取得手段と、
前記文字Ｎ値データと前記イメージＭ値データをそれぞれ圧縮する圧縮手段と、
圧縮された前記文字Ｎ値データ及び前記イメージＭ値データを送出する送出手段と
を備える画像処理装置と、
圧縮された前記文字Ｎ値データ及び前記イメージＭ値データを受け取る受取手段と、
圧縮された前記文字Ｎ値データ及び前記イメージＭ値データをそれぞれ展開する展開手段と、
前記文字Ｎ値データに対して量子化処理を行うことによりインクの吐出もしくは非吐出を示すＬ（ＬはＬ＜Ｎを満たす２以上の整数）値の文字インクデータを生成し、前記イメージＭ値データに対して量子化処理を行うことによりインクの吐出もしくは非吐出を示すＫ（ＫはＫ＜Ｍを満たす２以上の整数）値のイメージインクデータを生成する生成手段と、
前記文字インクデータ及び前記イメージインクデータに基づいて記録媒体上に画像を記録する記録手段と
を備える記録装置からなる記録システムであって、
前記生成手段は、前記文字インクデータがインクの吐出を示す画素に対して、前記イメージインクデータがインクの非吐出を示すように、前記文字インクデータとイメージインクデータを生成することを特徴とする画像処理システム。
【請求項２０】
インクを吐出する記録ヘッドを用いて記録媒体上に画像を記録するための画像処理を行う画像処理方法であって、
インクの吐出または非吐出を示す２値の文字データと、多値のイメージデータと、を取得する取得工程と、
前記２値の文字データと前記多値のイメージデータに基づいて、前記２値の文字データがインクの吐出を示す画素に対してインクの非吐出を示すように２値のイメージデータを生成する生成工程と
を備えることを特徴とする画像処理方法。
【請求項２１】
前記生成工程において、前記多値のイメージデータを誤差拡散処理により２値化し、２値化されたデータに対して前記２値の文字データがインクの吐出を示す画素に対してインクの非吐出を示すように変更することを特徴とする請求項２０に記載の画像処理方法。
【請求項２２】
色材を付与することにより記録媒体上に画像を記録するための画像処理を行う画像処理方法であって、
Ｎ（Ｎは３以上の整数）値の文字Ｎ値データと、Ｍ（Ｍは３以上の整数）値のイメージＭ値データと、を取得する取得工程と、
前記文字Ｎ値データに対して量子化処理を行うことにより色材の付与もしくは非付与を示すＬ（ＬはＬ＜Ｎを満たす２以上の整数）値の文字データを生成し、前記イメージＭ値データに対して量子化処理を行うことにより色材の付与もしくは非付与を示すＫ（ＫはＫ＜Ｍを満たす２以上の整数）値のイメージデータを生成する生成工程と
を備え、
前記生成工程において、前記文字データが色材の付与を示す画素に対して、前記イメージデータが色材の非付与を示すように、前記文字データと前記イメージデータを生成することを特徴とする画像処理方法。
【請求項２３】
色材を付与することにより記録媒体上に画像を記録するための画像処理を行う画像処理方法であって、
Ｍ（Ｍは３以上の整数）値のイメージＭ値データに対して量子化処理を行うことにより色材の付与もしくは非付与を示すＫ（ＫはＫ＜Ｍを満たす２以上の整数）値のイメージデータを生成する第１生成工程と、
Ｋ値の文字データにおいて色材の付与を示す画素に対応する、Ｋ値の前記イメージデータの画素が、色材の付与を示す場合、Ｋ値の前記イメージデータの当該画素が色材の非付与を示すように変更する変更工程と、
Ｋ値の前記文字データと、前記変更工程において変更されたＫ値の前記イメージデータと、に基づいて、画像データを生成する第２生成工程と
を備えることを特徴とする画像処理方法。